Podtech/llm-jp-corpus-v4-ja_patent huggingface dataset:
(57)【要約】  【課題】    横走流式石灰炉用格子煉瓦は構造が複雑で耐熱強度を必要とするためハイアルミナなどの耐熱強度のある格子煉瓦を使用する必要があり、高価で重量も重く工事費も嵩むという課題がある。    【解決手段】      耐熱煉瓦に代えて耐熱性があり強度も強いファインセラミックを使用することにより、格子部をルーバー型に変更でき分割した小さい部品を組み立てて構造物に仕上げることで重量を軽くし工事期間の短縮をはかることが可能となり石灰炉全体のコストダウンが可能となる。  【選択図】  図１
2009161390.tif 000002
【特許請求の範囲】
【請求項１】
石灰石充填層に対し石灰石焼成用ガスをクロスフローさせる所謂横走流式石灰炉におけるガスの流入、流出のための格子を炭化珪素などのファインセラミック製のルーバー型とし、支柱、ルーバー、ステー、継手を夫々のブロックに細分しそれ等を嵌め合わせすることで石灰石充填層を形成することを特徴とする請求項１記載の横走流式石灰石炉。
【請求項２】
支柱かかる充填層内の石灰石側圧を支柱間にステーを設けることにより側圧のバランスをとり高い支柱にかかる側圧による転倒を防止することを特徴とする請求項１記載の横走流式石灰炉。
【発明の詳細な説明】
【技術分野】
【０００１】
日本における最も豊富な資源は石灰石であり、現在使用されている石灰石を焼成するための石灰炉はその方式の種類において世界でも有数である。
【背景技術】
【０００２】
石灰炉は高温ガスを扱うため耐火煉瓦が使用され、石灰炉の方式により構造は異なるもののその耐火煉瓦は形状が複雑で材料費を含めた煉瓦工事費が石灰炉本体コストの大半を占めている。
【０００３】
特に従来の横走流式石灰炉は、格子煉瓦壁を平行に直立させその間に石灰石を充填するため格子煉瓦に石灰石の側圧に耐える強度を持たす必要がありこの格子煉瓦だけでも相当の費用を要する。
【発明の開示】
【発明が解決しようとする課題】
【０００４】
格子煉瓦は強度の強い材質の煉瓦を使用し、しかも多種形状の煉瓦を組み合わせて積み上げるため重量が重く手間がかかり煉瓦工事費が嵩むし損傷した煉瓦の補修にも時間と費用がかかる。
【課題を解決するための手段】
【０００５】
この課題を解決するための請求項１の発明は、高温でも強度が強いファインセラミックを使うことにより重量を軽くすることができ、細かくブロック化して夫々を嵌め込み構造とすることで容易に組み立てが可能となり工事期間の短縮やコストダウンを図ることができる。
【０００６】
請求項２の発明は、格子煉瓦の場合は高い支柱に均等にかかる石灰石側圧をアーチ煉瓦を介して石灰炉本体の側壁に伝え側壁支柱で持たせているが相対する支柱間にセラミック板のステーを設けることで互いにかかる石灰石の側圧を相殺させて支柱にかかる転倒モーメントの影響をなくし支柱の重量の低減を図ることが可能となる。
【発明の効果】
【０００７】
本発明により組み立てが簡単かつ軽量で安価な横走流式石灰炉を建設することが可能となる。
【発明を実施するための最良の形態】
【０００８】
本発明の石灰炉に関する実施の形態について説明する。
なお、この形態は、発明の趣旨をより良く理解させるために説明するものであり、特に指定しない限り、本発明を限定するものではない。
【実施例１】
【０００９】
図１は、鋼鉄製の直方体内面に耐火断熱煉瓦１１を内張りした空間に炭化珪素製のルーバー壁を平行に直立させて形成された石灰石充填層を示し、そのルーバー壁は支柱０１、ルーバー０２、継手０３およびステー０４よりなり石灰石はルーバー壁間に充填され、焼成用ガスがルーバー０２を通って流入し相対するルーバー０２を通って流出する間に焼成される。
【００１０】
図２は、ルーバー壁を分解した部品の一つである支柱０１を示す。
【００１１】
図3は、石灰石のこぼれを防止するためのルーバー０２を示し、両端の突起を支柱０１に差込み固定される。
【００１２】
図４は、支柱０１を繋ぐための継手０３を示す。両側に支柱０１の倒れを防止するためのステー０４を差し込むためのスリットを刻んでいる。
【００１３】
図５は支柱０１を繋ぐステー０４を示す。石灰石の側圧による支柱０１の倒れを防止する働きをする。
【産業上の利用可能性】
【００１４】
横走流式石灰炉の格子煉瓦をセラミック製ルーバーに変更することで、横走流式石灰炉のコストダウンを計ると共に現場工事期間の短縮を図ることができる。
【図面の簡単な説明】
【００１５】
【図１】ファインセラミック製ルーバー壁を示す横走流式石灰炉の内部構造図である。
【図２】ファインセラミック製支柱の外形図である。
【図３】ファインセラミック製ルーバーの外形図である。
【図４】ファインセラミック製継手の外形図である。
【図５】ファインセラミック製ステーの外形図である。
【符号の説明】
【００１６】
０１    支柱
０２    ルーバー
０３    継手
０４    ステー
１１    耐火断熱煉瓦
【図１】
2009161390.tif 000003
【図２】
2009161390.tif 000004
【図３】
2009161390.tif 000005
【図４】
2009161390.tif 000006
【図５】
2009161390.tif 000007
(57)【要約】【課題】  素人でも本体の取りつけ取り外し移動が行い易く、縦格子の角度も容易に変えることのできる格子角度自在つっぱり間仕切りを提供する。【解決手段】  床への傷防止のため床に横板（１）を敷き、下部の横板（２ｂ）と床に敷いた横板（１）との間に小型の冶具や器具（５）などを組み込み、上下につっぱらせることによって本体を固定させ、また、縦格子（３）とその縦格子（３）を挟む上部の横板（２ａ）、下部の横板（２ｂ）とを軸（４）で結合させ、その軸（４）を回転軸とし、縦格子部分の角度調整も可能な格子角度自在つっぱり間仕切りを特徴とする。【選択図】図１
2009161971.tif 000002
【特許請求の範囲】
【請求項１】
床への傷防止のため床に横板（１）を敷き、下部の横板（２ｂ）と床に敷いた横板（１）との間に小型の冶具や器具（５）などを組み込み、上下につっぱらせることによって本体を固定する方法を用いた間仕切り。
【請求項２】
縦格子（３）と、その縦格子（３）を挟む上部の横板（２ａ）、下部の横板（２ｂ）とを軸（４）で結合させ、その軸（４）を回転軸とし縦格子（３）の角度調整が可能な間仕切り。
【発明の詳細な説明】
【技術分野】
【０００１】  この発明は、つっぱり式のため取り付け取り外し移動が行い易く、縦格子の角度も自在に変えることができる格子角度自在つっぱり間仕切りに関するものである。
【背景技術】
【０００２】  従来、間仕切りは最初に取り付けた状態のままでしか使用できなかった。
【発明の開示】
【発明が解決しようとする課題】
【０００３】  これは、次のような欠点があった。
従来、間仕切りは壁や床、天井などに金具等で固定され、簡単に取り外したり移動することができなかった。また、取り外した場合、痕跡が残ってしまうこともあった。さらに、縦格子が固定されているため縦格子の角度を変えて変化を楽しむことができなかった。本発明は、以上のような欠点をなくすためになされたものである。
【課題を解決するための手段】
【０００４】  （イ）床への傷防止のため床に横板（１）を敷き、下部の横板（２ｂ）と床に敷いた横板（１）との間に小型の冶具や器具（５）などを組み込み、上下につっぱらせることによって本体を固定させる。
（ロ）縦格子（３）とその縦格子（３）を挟む上部の横板（２ａ）、下部の横板（２ｂ）とを軸（４）で結合させ、その軸（４）を回転軸とし、縦格子（３）の角度調整を可能にさせる。
本発明は、以上の構成よりなる格子角度自在つっぱり間仕切りである。
【発明の効果】
【０００５】  つっぱり式になっているため、素人でも壁や床、天井に痕跡を残すことなく本体の取り付け取り外し移動が可能であり、さらに解体して収納しておくこともできる。また縦格子が回転するため、容易に縦格子の角度を変えて変化を楽しむこともできる。
【発明を実施するための最良の形態】
【０００６】  以下、本発明を実施するための最良の形態について説明する。
床への傷防止のため床に横板（１）を敷き、下部の横板（２ｂ）と床に敷いた横板（１）とを全ネジ付きボルト（６）、上部ナット（７ａ）及び下部ナット（７ｂ）を用いて上下につっぱらせることにより、本体を固定する。
つっぱり具合の調整は、上部ナット（７ａ）と下部ナット（７ｂ）で行う。
縦格子（３）とその縦格子（３）を挟む上部の横板（２ａ）、下部の横板（２ｂ）とを釘（４）で結合させ、その釘（４）を回転軸とし縦格子（３）の角度調整を可能にさせる。なお、全ネジ付きボルト、ナット、釘の材質は錆びないものを使用する。
本発明は以上のような構造である。本体を現に設置されている場所から取り外したり移動したりする場合は、ナットを調整し、つっぱり具合を緩めてから行い、縦格子の角度調整を行う場合は、縦格子の部分を好みに合わせて手で動かして調節する。
【実施例１】
【０００７】  部屋や空間の間仕切りとして使用。
【図面の簡単な説明】
【０００８】
【図１】  本発明の正面図である。なお、図の中央から右側は横板に縦格子を平行にした場合を示し、左側は横板に縦格子を直角にした場合を示す。
【図２】  本発明の斜視図である。なお、図の中央から右側は横板に縦格子を平行にした場合を示し、左側は横板に縦格子を直角にした場合を示す。
【符号の説明】
【０００９】  １    横板
２ａ  横板
２ｂ  横板
３    縦格子
４    軸
５    冶具や器具
６    全ネジ付きボルト
７ａ  ナット
７ｂ  ナット
【図１】
2009161971.tif 000003
【図２】
2009161971.tif 000004
(57)【要約】【課題】  水田の水切後  溝の排水性を良好にするための、水田の足踏溝切機を提供する。【解決手段】２本のハンドル下部に支え軸と踏台接続金具を装着し、それに滑止めシールを足踏台に張り固定して最下部にＶ字型鉄板を取付し、足で踏み込んで押圧によって溝を切ることを特徴とする水田の足踏溝切機。【選択図】図１
2009161972.tif 000002
【特許請求の範囲】
【請求項１】
立設した２本のハンドルの中間に中間支え軸を設け、下部に下部支え軸を設け、下端部に踏台接続金具を取り付け、この金具に足踏台を取り付け、足踏台の上部に滑止めシールを設け、最下部にＶ字型鉄板を取り付けたことを特徴とする、水田の足踏溝切機。
【発明の詳細な説明】
【技術分野】
【０００１】  本発明は、水田の水きり後の溝の排水性を良好にするための、水田の足踏溝切機に関するものである。
【背景技術】
【０００２】  従来、排水性が悪い圃場は、市販のエンジン付き溝切機又は、手押式溝切機で行うが、いずれも数週間すると、溝切した跡が狭くなり、羽で寄せられた土が埋ったり、雨が降ると排水不良になった。又  湿地田ではスコップ等で、田面又は畦を切って排水していたが、土砂が残り排水性が落ちてしまう。
なお、溝堀鍬なる畑地で、使用可能な鍬の発明が、知られている。
【特許文献１】得開２００５−１９２４３８
【発明の開示】
【発明が解決しようとする課題】
【０００３】  そのため次のような問題点があった。
（イ）市販のエンジン付き溝切機、手押式溝切機にせよ、時間の経過とともに、溝が埋り、スコップ等で切っても同様きれいな溝はできず、時間と、労力がかかり効率が悪かった。
（ロ）市販のエンジン付き溝切機も、手押式溝切機も田面にある程度  水がないと、使用不可能であった。
本発明は、以上の問題点を解決しようとするものである。
【課題を解決するための手段】
【０００４】  立設した２本のハンドルの中間に中間支え軸を設け、下部に下部支え軸を設け、下端部に踏台接続金具を取り付け、この金具に足踏台を取り付け、足踏台の上部に滑止めシールを設け、最下部にＶ字型鉄板を取り付けたことを特徴とする、水田の足踏溝切機である。
【発明の効果】
【０００５】  軽く労力もさほど使わず溝がきれいに仕上るので、排水性が良好である。
【発明を実施するための最良の形態】
【０００６】  以下、本説明の実施形態について説明する。
（イ）本説明の水田足踏溝切機は、ハンドル（２）に中間支え軸（３）と下部支え軸（５）それに、足踏台接続金具（７）と足踏台（９）に滑り止めシール（４）Ｖ字型鉄板（１１）で構成している。
（ロ）手でにぎるグリップ（１）とグリップの幅２８ｃｍハンドル（２）鉄パイプ外経２．５ｃｍ厚さ１．２ｍｍに、中間支え軸（３）幅１．２ｍｍ  長さ１２ｃｍ  厚さ１．２ｍｍ鉄平上部にビス穴（６）２ヶ所設け、穴のサイズに合ったビスで取り付ける。
（ハ）足踏台接続金具（７）左右２個に、ビス穴（８）３ヶ所設け、足踏台（９）長さ５８ｃｍ  幅１３ｃｍ上から底部まで１４ｃｍ足踏台中央支え軸溝（１０）に、下部支え軸（５）を穴のサイズに合ったビスで取り付ける。
（ニ）靴底が滑らない用に滑り止めシール（４）を張り、最下部に折り曲げ羽３ｃｍ（１３）の付いたＶ字型鉄板（１１）長さ６０ｃｍ  幅２４ｃｍ  厚さ１．２ｍｍ左右中央の水平線上にビス穴（１２）を３ヶ所設け、Ｖ字型鉄板（１１）底部と、足踏台を穴のサイズに合ったビスで、固定する。
本発明は、以下の構成からなるので、本発明を使用する時は、グリップを両手で持ち片足は田面利き足で足踏台滑止シールに上げ、ある程度力を入れ押し下げる形で、そのまま後方に下がって進むことで、きれいなＶ字溝ができる。特に中干し後湿地田の抗地畦ぎわ、調整水田  水張田の溝切には最適である。使用時圃場の土にある程度湿りが必要であるが、田面には水は全く必要がない。又軽い重さ４．５ｋｇなので女性やお年寄りでも、簡単に使用できる。Ｖ字型鉄板が田面の上に接する角度が４５度と田面より１２〜１３ｃｍの深さまで溝切できる。溝深さ調整には足踏台に上げる足の押圧によって、加減できる。Ｖ字型鉄板の羽は、溝がそれ以上深くならないためのストッパーと先に溝切した、ふちの土砂が溝に落ちない用、押圧により締め固めと均しの目的である。
【図面の簡単な説明】
【０００７】
【図１】本説明の分解斜視図
【図２】本説明の斜視図
【図３】本説明の正面図
【図４】本説明の側面図
【符号の説明】
【０００８】  １  グリップ
２  ハンドル
３  中間支え軸
４  滑止シール
５  下部支え軸
６  ビス穴
７  踏台接続金具
８  ビス穴
９  足踏台
１０  支え軸溝
１１  Ｖ字型鉄板
１２  ビス穴
１３  折まげ羽
【図１】
2009161972.tif 000003
【図２】
2009161972.tif 000004
【図３】
2009161972.tif 000005
【図４】
2009161972.tif 000006
(57)【要約】      （修正有）【課題】土壌の通気性を向上させ、水やりの手間がかからずに植物の生育を促進する簡便な植栽装置を提供する。【解決手段】軽石とポルトランドセメントと水とを混練した生コンクリートを板状に固めた保水性・透水性コンクリート・ブロック１と、このコンクリート・ブロック１にあけた孔に挿通した毛細管現象により導水する布の給水芯２と、コンクリート・ブロック１の表面に敷き込んだ同種の布３と、この布３の表面に形成した軽石の砂の層４と、コンクリート・ブロック１をスペーサ５により間隔をあけて保持する受皿７とを具備し、受皿７に貯えた水を給水芯２および布３を経て軽石の砂の層４に供給して、軽石の砂の層４で植物を育成する。【選択図】図１
2009125047.tif 000002
【特許請求の範囲】
【請求項１】
軽石とポルトランドセメントと水とを混練した生コンクリートを板状に固めた保水性・透水性コンクリート・ブロックと、
該コンクリート・ブロックにあけた孔に挿通した毛細管現象により導水する布の給水芯と、
上記コンクリート・ブロックの表面に敷き込んだ同種の布と、
該布の表面に形成した軽石の砂の層と、
上記コンクリート・ブロックを間隔をあけて保持する受皿と、
を具備し、上記受皿に貯えた水を上記給水芯および上記布を経て上記軽石の砂の層に供給して、軽石の砂の層で植物を育成することを特徴とする植栽装置。
【発明の詳細な説明】
【技術分野】
【０００１】
この発明は、屋内で園芸を楽しむ植栽装置に関し、土壌の通気性を高めて根の張りをよくして生育を促進し、水やりの手間を軽減できるように構成したものである。
【背景技術】
【０００２】
底面が硬質メッシュ板で仕切られた土壌層と、保湿槽と、貯水槽との順に積層構造とし、貯水槽の水を保湿槽に蒸発させて、土壌層の底面に露結させることにより土壌層に水を移行させるプランターが、下記特許文献１に開示されている。
【特許文献１】特開２００６−３２５４６０号公報
【発明の開示】
【発明が解決しようとする課題】
【０００３】
このような従来のプランターにおいては、保湿槽の湿度および温度を適正に保たなければ、植物の生育に適さない環境となるので、貯水槽の水位および温度、保湿槽の湿度および温度などを制御しなければならず、大がかりな装置にならざるを得ない。
【０００４】
そこで、この発明は、土壌の通気性を向上させるとともに、水やりの手間がかからずに植物の生育を促進する簡便な植栽装置を提供するために考えられたものである。
【課題を解決するための手段】
【０００５】
この発明の植栽装置は、軽石とポルトランドセメントと水とを混練した生コンクリートを板状に固めた保水性・透水性コンクリート・ブロックと、このコンクリート・ブロックにあけた孔に挿通した毛細管現象により導水する布の給水芯と、上記コンクリート・ブロックの表面に敷き込んだ同種の布と、この布の表面に形成した軽石の砂の層と、上記コンクリート・ブロックを間隔をあけて保持する受皿とを具備し、上記受皿に貯えた水を上記給水芯および上記布を経て上記軽石の砂の層に供給して、軽石の砂の層で植物を育成するものである。
【発明の効果】
【０００６】
この発明の植栽装置によると、保水性・透水性コンクリート・ブロックを基板として軽石の砂の層を土壌とし、この土壌に毛細管現象を利用して受皿の水を給水芯およびコンクリート・ブロック上の布を経て、植物を植栽した軽石の砂の層に供給するので、植物の根に対する通気性がよく、かつ、植物に適量の水を与えることができて、根の張りをよくして生育を促進し、水やりの手間を軽減できる。
【発明を実施するための最良の形態】
【０００７】
この発明の植栽装置は、図１の縦断面図に示すように、軽石と、ポルトランドセメントと、水とを混練した生コンクリートを板状に固めた保水性・透水性コンクリート・ブロック１を作る。
【０００８】
この保水性・透水性コンクリート・ブロック１は、強度を補う添加剤を添加することなく、粒度３〜２０mmの軽石５０〜６２重量％とポルトランドセメント５０〜３８重量％として全体の重量を１００％とした配合物に対して水４０〜５０重量％を散布して混練した生コンクリートを型枠に入れて、厚み４ｃｍ、４辺の長さが４０〜４５ｃｍ程度の板状に固めたものである。なお、この保水性・透水性コンクリート・ブロック１の大きさは、１人で持ち運びが容易な重量（約５kg）に定めたものであるが、適当に設定すればよいのである。
【０００９】
この軽石のコンクリート・ブロック１の中央部に孔をあけて、スペーサ５を介して受皿７に載せる。
【００１０】
この軽石のコンクリート・ブロック・ブロック１の中央部の孔に合成樹脂繊維製不織布の帯を給水芯２として挿通する。
【００１１】
さらに、この給水芯２を含む軽石のコンクリート・ブロック１の表面に合成樹脂繊維製の不織布３を敷き込み、その上に軽石の砂の層４を積層して植栽用土壌を形成する。
【００１２】
受皿７に水を入れると、給水芯２および不織布３の毛細管現象によって水が軽石の砂の層４まで浸透して、軽石の砂の層４および軽石のコンクリート・ブロック１に保水されて植物を育成する。そして、受皿７の水が減ると水を補充すればよく、過剰な水は、軽石のコンクリート・ブロック１の下面から受皿７に落下する。
【００１３】
この軽石の砂の層４に各種の植物を植え込むと、軽石のコンクリート・ブロック１の下面が露出しているので、通気性が高められて根の張りがよく、根が軽石の砂の層４から軽石のコンクリート・ブロック１の中まで伸びて植物の生育を促進することができる。
【００１４】
軽石の砂の層４の厚みは、栽培する植物の種類に合わせて定められる。例えば、天然芝を栽培する場合には薄くてもよいので枠６を必要としないが、ある程度の厚みを必要とする場合には、図示するように、枠６を設けて軽石の砂の層４を囲めばよいのである。
【図面の簡単な説明】
【００１５】
【図１】この発明の植栽装置の縦断面図である。
【符号の説明】
【００１６】
１  保水性・透水性コンクリート・ブロック
２  給水芯
３  不織布
４  軽石の砂
５  スペーサ
６  枠
７  受皿
【図１】
2009125047.tif 000003
(57)【要約】【課題】１年中販売することができ、ユーザが大切な日や思い出の日を忘れることがなく、ユーザの好みの画像を表示することのできるカレンダーを提供する。【解決手段】本発明に係るカレンダー１０は、１月から１２月のうちの特定日を含む特定の１ヶ月だけを複数年間分表示すると共に、前記特定日には所定のマークが表示されている日付表示部１１を備えていることを特徴とし、好ましくは、前記特定日に関連する画像を表示する画像表示部１２を備えていてもよい。【選択図】図１
2009125989.tif 000002
【特許請求の範囲】
【請求項１】
１月から１２月のうちの特定日を含む特定の１ヶ月だけを複数年間分表示すると共に、前記特定日には所定のマークが表示されている日付表示部を備えていることを特徴とするカレンダー。
【請求項２】
前記特定日に関連する画像を表示する画像表示部を備えている請求項１に記載のカレンダー。
【発明の詳細な説明】
【技術分野】
【０００１】
本発明はカレンダーに関し、特に、１月から１２月のうちの特定の１ヶ月だけを複数年間分表示するカレンダーに関するものである。
【背景技術】
【０００２】
従来、カレンダーには、１日毎にめくる日めくりカレンダー（例えば、特許文献１参照）や、１ヶ月又は２ヶ月毎にめくる月めくりカレンダー（例えば、特許文献２参照）や、１月から１２月までの１２ヶ月を一枚に表示した通年カレンダー（例えば、特許文献３参照）等の種類があることが知られている。そして、これらのカレンダーには、日付や曜日が祝日のマークと共に表示されている他、花、風景、人物、絵画等の画像が表示されていたり、或いは、ユーザが自由に書き込めるメモ欄が設けられたりすることもある。
【特許文献１】特開２００６−１１０８８７号公報
【特許文献２】特開２００６−１７５８４２号公報
【特許文献３】特開２００４−１８８８７０号公報
【発明の開示】
【発明が解決しようとする課題】
【０００３】
しかしながら、上記した従来のカレンダーは、該当する年の１月から使用開始されるため、カレンダーの製造期間や販売期間が該当する年の前年の特定の数ヶ月間に限定されてしまい、カレンダーの製造や販売に携わる企業にとっては効率的にカレンダーを製造又は販売するのが難しいといった問題があった。
【０００４】
また、従来のカレンダーでも、結婚記念日や家族の誕生日等、ユーザにとって大切な日や思い出の日をメモ欄や日付の近くに書き込むことはできるが、その書き込み作業が面倒なためにユーザが書き込まなかったり、或いは書き込み忘れたりすることがあり、ユーザが大切な日や思い出の日を忘れてしまうといった問題があった。
【０００５】
さらに、予め画像が印刷されているカレンダーの場合には、ユーザが自分の好みの画像のカレンダーを探し出すのに手間が掛かるといった問題もあった。
【０００６】
本発明は、上記した課題を解決すべくなされたものであり、１年中販売することができ、ユーザが大切な日や思い出の日を忘れることがなく、ユーザの好みの画像を表示することのできるカレンダーを提供することを目的とするものである。
【課題を解決するための手段】
【０００７】
上記した目的を達成するため、本発明に係るカレンダーは、１月から１２月のうちの特定日を含む特定の１ヶ月だけを複数年間分表示すると共に、前記特定日には所定のマークが表示されている日付表示部を備えていることを特徴とする。
【０００８】
また、本発明に係るカレンダーは、前記特定日に関連する画像を表示する画像表示部を備えていてもよい。
【発明の効果】
【０００９】
本発明によれば、カレンダーの製造や販売が一年を通して可能となるため、カレンダーの製造や販売に携わる企業にとっては効率的にカレンダーを製造又は販売することができる。
【００１０】
また、ユーザにとって大切な日や思い出の日等の特定日を、該特定日に関連する画像と共に表示することにより、ユーザ自身がカレンダーに特定日を書き込む必要がないと共に、ユーザが特定日を忘れてしまうのを確実に防止することができる。
【発明を実施するための最良の形態】
【００１１】
以下、図面を参照しつつ、本発明の実施の形態について説明する。ここで、図１は本発明の実施の形態に係るカレンダーを示す平面図である。
【００１２】
本実施の形態に係るカレンダー１０は、１月から１２月のうちの特定日を含む特定の１ヶ月だけを複数年間分表示する日付表示部１１と、前記特定日に関連する画像を表示する画像表示部１２とを備えて構成されている。
【００１３】
前記特定日としては、例えば、結婚記念日、父母や子供又はペットの誕生日等の記念日や、家族との思い出の旅行日、初デートの日等の思い出の日等、カレンダー１０を使用するユーザにとって特別な日が該当する。図１では、前記特定日として、結婚記念日（１１月６日）をユーザが選択した場合を示しており、この特定日には、ユーザの要望に従って所定のマーク（図１ではハートマーク）が印刷、表示される。
【００１４】
また、日付表示部１１に表示される特定の１ヶ月（例えば、図１では１１月）や、該特定の１ヶ月を表示する年数（例えば、図１では、２００８年から２０１７年の１０年分）については、ユーザの要望に従って任意に設定可能である。
【００１５】
さらに、図１では、各年の特定の１ヶ月（１１月）がそれぞれ横一列で表示されているが、これは単なる例示に過ぎず、例えば、縦一列で表示したり、或いは、横書きに１週間単位で下方向に繰り返し配列する通常のカレンダー表示方法で表示したりする等、この表示形態についてもユーザの要望に従って任意に設定可能である。
【００１６】
また、画像表示部１２に表示される画像としては、写真やイラストの他、ユーザが好きな言葉等であってもよく、カレンダー１０を使用するユーザの要望に従って印刷、表示される。
【００１７】
さらに、カレンダー１０の材質は、紙、アクリル等の印刷可能な素材製であれば、各種素材を使用可能であり、カレンダー１０のサイズや、壁掛け又は卓上等の使用形態についても各種変更が可能である。
【００１８】
このように上記した本発明の実施の形態に係るカレンダー１０によれば、ユーザの要望に従って世界に一つしかないオリジナルのカレンダーを提供することができる。
【００１９】
また、カレンダー１０に表示する特定の月は、ユーザの要望に従って１月から１２月のいずれの月にもなる可能性があるため、カレンダー１０を一年中販売することができる。したがって、カレンダー１０の製造や販売が一年を通して可能となり、カレンダー１０の製造や販売に携わる企業にとっては効率的にカレンダーを製造又は販売することができるようになる。
【００２０】
さらに、結婚記念日や家族の誕生日等、ユーザにとって大切な日や思い出の日等の特定日を、該特定日に関連する画像と共に印刷、表示することにより、ユーザ自身がカレンダー１０に特定日を書き込む必要がなくなると共に、ユーザが大切な日や思い出の日を忘れてしまうのを確実に防止することができる。
【図面の簡単な説明】
【００２１】
【図１】本発明の実施の形態に係るカレンダーを示す平面図である。
【符号の説明】
【００２２】
１０          カレンダー
１１          日付表示部
１２          画像表示部
【図１】
2009125989.tif 000003
(57)【要約】【課題】従来のシャコ万力は、長尺物に複数個を取り付け使用する場合、工作物を締め付けるとき、締め付けボルトの締め付けと緩めには締付けハンドルを無数に回すため作業効率が極めて悪かった。また、作業空間の狭い場所で作業する場合は締付けボルトが回しずらく作業効率が悪いという問題があった。【解決手段】本発明は、シャコ万力の締付けボルトの頭を電動ドライバーのソケットが挿嵌できる六角形頭に形成し、さらに作業中にシャコ万力の脱落防止として、六角形頭の略中央に電動ドライバーソケットから抜け落ち防止にソケットロック用凹部を設ける。従来、複数個のシャコ万力を使用する場合や作業空間が狭いところでも、手動による締付けボルトを締め付けていたが、作業効率が極めて悪くネック工程であった。この電動ドライバー専用のシャコ万力でネック工程を解消し格段の作業効率アップを図ることができるものである。【選択図】図１
2009125924.tif 000002
【特許請求の範囲】
【請求項１】
鋼製のフレームと締め付けボルトを備えるシャコ万力において、該締め付けボルトの頭部を六角形と該六角形頭に電動ドライバーのソケットロック用凹部を形成した電動ドライバー専用シャコ万力
【請求項２】
フレームと締め付けボルトの材質を合成樹脂で形成したことを特徴とする請求項１記載のシャコ万力
【発明の詳細な説明】
【技術分野】
【０００１】本発明は工作物の加工、組立作業時に工作物を相対する２面の間に工作物を挟み締め付け固定する電動ドライバー専用シャコ万力に関する。
【背景技術】
【０００２】  現場作業において作業用シャコ万力は、略Ｃ形フレームの固定顎と締め付けボルトの間に工作物を挟んで、溶接、接着、穴明け等の作業するのが一般的で多く知られている。作業用工具のほとんどのカタログには標準的な形状のものが多く掲載されている。（例えば非特許文献  一般的な作業用工具カタログシャコ万力参照）【０００３】
【特許文献１】（特許文献特開平８−３７８９参照）（非特許文献、インタネットでシャコ万力参照）
【発明の開示】
【発明が解決しようとする課題】
【０００４】  一般的な形状のシャコ万力は、略Ｃ形フレームの固定顎と締め付けボルトとの間に工作物を挟んで締め付け固定し溶接、接着、穴明け等の作業を行うが、固定顎と締め付けボルトの間の口の開き部の調整には締め付けボルトの締め付けハンドルを相当数の回転が必要である。シャコ万力単体のみの使用ならば、我慢して手動で締め付け使用することも問題にはならないが、しかし、長尺物などを複数個のシャコ万力を同時に使用して締め付ける現場作業も多く発生する。また、複数個のシャコ万力を使用した場合、締め付けハンドルを従来品は手動で回して締め付けボルトの締め付け、緩めを繰り返すと相当の時間と労力を要することになる。従って作業工程の詰まっている場合など作業効率化を図る上での大きなネック工程となっている。さらに、作業空間の狭い場所では締め付けボルトの締め付けハンドルを手動で回すスペースもとれなくなる場合も発生する。これを狭い空間での作業でも複数個のシャコ万力使用の場合でも、電動ドライバーでスムーズに回して締め付けができネック工程を除去し、格段の作業効率を高めようとするものである。
【課題を解決するための手段】
【０００５】  本発明は作業中に複数個のシャコ万力を同時に使用したり、作業空間の狭いところでも作業効率を高めるために、シャコ万力の締め付けボルトを素早く確実に締め付け、または緩めることが要請されるが、それを可能にするためのものである。そのために締め付けボルトの頭を電動ドライバーのソケットに挿嵌できる六角形頭に形成する。そして電動ドライバーを傾斜させたときでも、シャコ万力が脱落しないように六角頭の略中央付近に、ソケットロック用凹部を形成する。これを使用する場合、電動ドライバーのソケットに六角形頭を挿嵌し回転させて使用するが、必要な締め付けトルクについては、電動ドライバーで簡単に調整して作業を行うことができるようにするものである。
【発明の効果】
【０００６】  上述したように本発明の電動ドライバー専用シャコ万力は、作業空間の狭いところや長尺物でシャコ万力を同時に複数個使用のときでも、電動ドライバーのソケットにシャコ万力の六角形頭を挿嵌し迅速に取り付け作業ができる。
電動ドライバー用シャコ万力を締め付けたら、次の作業に移行し電動ドライバー用シャコ万力を次々にセットして取り付け作業を行うことができる。この連続作業によって従来なし得なかった格段の作業効率をアップさせることができる。作業中に本発明の電動ドライバー専用シャコ万力が脱落しないように六角頭の略中央付近に、抜け止め用のソケットロック用凹部を形成しているので脱落の心配がない。これを使用する場合、電動ドライバーのソケットに六角形頭を挿嵌して使用するが、この電動ドライバー専用のシャコ万力は、特別な技能を訓練しなくても、活用することが可能であり、従来の作業ネック工程の解消に威力を発揮させることができるものである。またシャコ万力の必要な締め付けトルクについては、電動ドライバーで簡単に調整して作業を行うことができる。
【発明を実施するための最良の形態】
【０００７】  以下、本発明の実施の形態を図１〜図に基づいて説明する【０００８】  図１において、１はシャコ万力のフレームで、２は固定顎、３は締め付けボルト、４はシャコ万力の口の開き部、５は六角形頭、６は電動ドライバー専用シャコ万力のソケットロック用凹部を形成する構成である。従って４締め付けボルトと５六角形頭は一体構造である。
【実施例】
【０００９】  以下、上記構成の動作を説明する。４口の開き部に任意の工作物を位置させ３締め付けボルトを電動ドライバーで回転させて迅速に挟む。この４口の開き部は工作物の大きさによって異なるため、その都度電動ドライバーで、３締付けボルトの５六角形頭を回転させて調整しながら締め付ける。シャコ万力を同時に複数個使用したり、作業空間の狭いところでも電動ドライバー専用シャコ万力の３締め付けボルトを回転させて締め付けたり緩めたりすることが容易にできる。本発明品を使用すると、ベテランの作業員でなくても格段に作業効率が上げることができる。従って従来なし得なかった格段の作業効率をアップさせることが可能である。また作業中に電動ドライバーを傾斜しても電動ドライバー専用シャコ万力が脱落しないように六角形頭の略中央付近に、ソケットロック用凹部を形成して脱落の心配がないようにした。またシャコ万力の必要な締め付けトルクについては、電動ドライバーで簡単に調整して作業ができる。
【図面の簡単な説明】
【図１】本発明のシャコ万力の正面図を示す。
【図２】締付けハンドルのＢ矢視図を示す。
【図３】シャコ万力の標準的な構造の平面図を示す。
【図４】電動ドライバー専用シャコ万力関係をの平面図を示す。
【符号の説明】
【００１０】  １  フレーム
２  固定顎
３  締付けボルト
４  口の開き部
５  六角形頭
６  電動ドライバーソケットロック用凹部
７  締め付けハンドル
【図１】
2009125924.tif 000003
【図２】
2009125924.tif 000004
【図３】
2009125924.tif 000005
【図４】
2009125924.tif 000006
(57)【要約】【課題】  本発明は、マグカップ、プラスチックコップなど、テーブルのぐらつきや不注意などにより、転倒しやすく、また、色や形が同様のため他人の物と混同しやすいため、これら問題点を解決できるホルダー式のコースターを提供する。【解決手段】  コースター本体の自重とその形状によって転倒から防ぎ、滑りずらい素材を使用し、はかま部分にマグカップの取っ手を邪魔しないように、切り込みを入れ、さらに多色にすることで、他人との混同を避けることのできるホルダー式のコースター。【選択図】図２
2009125574.tif 000002
【特許請求の範囲】
【請求項１】
コースター本体の自重とその形状によって転倒から防ぎ、滑りずらい素材を使用し、はかま部分にマグカップの取っ手を邪魔しないように、切り込みを入れ、さらに多色にすることで、他人との混同を避けることのできるホルダー式のコースター。
【発明の詳細な説明】
【技術分野】
【０００１】  本発明は、マグカップ、プラスチックコップなど、テーブルのぐらつきや不注意などにより、転倒しやすく、また、色や形が同様のため他人の物と混同しやすいため、これら問題点を解決できるホルダー式のコースターに関するものである。
【背景技術】
【０００２】  従来、はかま状のコースターがあった。
また、コップが簡単に動かない様に、滑りずらい素材でできたコースターがあった。
【発明の開示】
【発明が解決しようとする課題】
【０００３】  そのため次のような問題点があった。
はかま状のものは、マグカップなどの取っ手が邪魔をして使用するのが難しかった。
滑りずらい素材でできたコースターも、はかま部分が浅いため、コップが倒れてしまう心配があった。
【課題を解決するための手段】
【０００４】  コースター本体の自重とその形状によって転倒から防ぎ、滑りずらい素材を使用し、はかま部分にマグカップの取っ手を邪魔しないように、切り込みを入れ、さらに多色にすることで、他人との混同を避けることのできる。
以上を特徴とするホルダー式のコースターである。
【発明の効果】
【０００５】  一般的な１人分の飲み物の入った容器を、安定性のあるコースターに収めることができ、安心して作業ができる。
【発明を実施するための最良の形態】
【０００６】  以下、本発明を実施するための最良の形態を説明する。
（イ）コースターの底（１）の部分は、滑らない素材のシリコンを使用する。
（ロ）コースターのはかま部分（２）にマグカップなどの取っ手をスムーズに取り出しやすくするため、間に切り込み（３）を入れ、飲み物の容器が斜めになった場合も倒れにくい様にし、しっかりしたシリコン素材を使用する。
本発明は以上のような構成である。
これを使用するときは、マグカップなど取っ手がある場合は、切り込みに収まるように置く。
マグカップなどに入れた飲み物が倒れてこぼれる心配がない。
しかもシリコン素材なので、熱に強く安定感があり、多少の衝撃にも耐えられ、安心して作業ができる。
【図面の簡単な説明】
【０００７】
【図１】  本発明の使用状態を示した斜視図である。
【図２】  本発明の平面図である。
【符号の説明】
【０００８】  １  底
２  はかま状部分
３  切り込み
【図１】
2009125574.tif 000003
【図２】
2009125574.tif 000004
2009125574.tif 000005
【手続補正書】
【提出日】平成20年3月6日(2008.3.6)
【手続補正２】
【補正対象書類名】図面
【補正対象項目名】全図
【補正方法】変更
【補正の内容】
【図１】
2009125574.tif 000006
【図２】
2009125574.tif 000007
【図３】
2009125574.tif 000008
【図４】
2009125574.tif 000009
【手続補正３】
【補正対象書類名】明細書
【補正対象項目名】０００７
【補正方法】変更
【補正の内容】
【０００７】
【図１】  本発明の使用状態を示した斜視図である。
【図２】  本発明の平面図である。
【図３】  本発明の底・下から見た図である。
【図４】  本発明のはかま部分の図である。
(57)【要約】      （修正有）【課題】布ぞうりを作る編台である。芯紐だけで編むのは布ぞうりの幅が太くなったり細くなったり慣れるまで安定しなかったがこの編台を使うことにより幅も安定し足をのばしたり、台に固定して、編まれていたものがテーブルの上膝の上でも編むことのできる編台を提供する。【解決手段】三枚の板に芯紐と一諸に編む棒を通す穴をあける。その中の一枚の板には芯紐をかける切り込みを入れる。中板２は固定せず自由に移動できるようにしておく。【選択図】図１
2009125576.tif 000002
【特許請求の範囲】
【請求項１】
両端の２本のアルミ棒と一諸に編むことによりぞうりの幅が均等に編める台である。
【請求項２】
テーブルの上、ひざの上でもぞうりが編める台である。
【発明の詳細な説明】
【技術分野】
【０００１】本発明は、布ぞうりを作る時幅が安定して編むことができ又、テーブルの上、ひざの上でも編める、布ぞうりを作る台に関するものである。
【背景技術】
【０００２】従来布ぞうりを作る時、足をのばしたり、台に固定したりして芯紐であんでいき、又、芯紐だけで幅を計りながら編まれていた。
【発明の開示】
【発明が解決しようとする課題】
【０００３】布ぞうりを編む時、足をのばしたり、台に固定したりされたがテーブルの上ひざの上でも編め。ぞうりの幅が計りながら編んで安定しないことがあったが本発明はこれらの問題点を解決するためになされたものである。
【課題を解決するための手段】
【０００４】三枚の板に芯紐と一諸に編む棒を通す穴を明ける
一枚目の板には芯紐をかける切り込みを入れる
二枚目の板（中板）はす固定せず自由に移動できるようにしておく。
【発明の効果】
【０００５】本発明を使用することにより、テーブルの上膝の上で編め、ぞうりの幅も安定するものである。
【発明を実施するための最良の形態】
【０００６】（イ）（１）（２）（３）の三枚の板に芯紐と一諸に編むためのアルミ棒を通す穴をあける。
（ロ）（１）の板には芯紐をかけるための切り込みを入れる。
（ハ）台板（４）の左側に芯紐をかけるための切り込みの入った（１）の板をとりつける。
（ニ）台板（４）の右側に（３）の板をとりつける。
（ホ）（１）の板（３）の板の内側に（５）と（６）の補強板をとりつける。
（ヘ）（７）（８）のアルミの棒は片方を９０度に曲げる。
本発明は以上の構成からなるので本発明を使用するときは
まずつま先を作る、作りたい幅まで編めたら４本の芯紐の両端と棒とを一諸に編んでいく中板（２）は編み進む時の力により、幅がせまくなることを防止するための板で移動させながら編んでいく、このように編んでいくことによって幅が揃い早くきれいにできる。かかとまで編めたら棒を手前にひき抜き編台からはずして仕上げる。
【図面の簡単な説明】
【０００７】
【図１】本発明の出来上り図
【図２】本発明のアルミ棒
【符号の説明】
【０００８】（１）芯紐をかける板（２）アルミ棒を通す移動する板（３）アルミ棒９０度に曲げた方を通す手前の板（４）土台になる板（５）（６）補強板（７）（８）アルミ棒
【図１】
2009125576.tif 000003
【図２】
2009125576.tif 000004
(57)【要約】      （修正有）【課題】従来、傷あてパッドは消毒薬や殺菌剤を塗布したものや、単なる傷面保護だけのものが多かったが、これでは細菌は殺すが傷面の細胞をも傷つけてしまう。また保護パッドだけのものには、傷の早期回復は望めない。そこで、安全性と細胞修復能力の促進を確保するための傷あてパッドを提供する。【解決手段】従来の殺菌剤の替わりに、天然ハチミツカプセルを内蔵した傷あてパッドにした。構成として、従来の傷あてパッドに、保護テープ１、と粘着（下面）テープ５の間にガーゼ固定粘着テープ２、その下にガーゼ３、天然ハチミツカプセル４を内蔵した傷あてパッドとした。使用方法としては、使用前に上下から指で圧迫して、カプセルを破り天然ハチミツをガーゼに滲みこませ保護テープ１、をはずし傷にあてて使用する。やわらかい食品ラップでカプセル化したので、天然ハチミツの薬効を十分発揮でき、使用方法も簡素化できた。【選択図】図３
2009125572.tif 000002
【特許請求の範囲】
【請求項１】
保護テープ１と粘着（下面）テープ５の間に、ガーゼ固定粘着テープ２、その下にガーゼ３、そして天然ハチミツカプセル４、を内蔵する傷あてパッド。
【発明の詳細な説明】
【発明の詳細な説明】
【発明が解決しようとする課題】
消毒薬（化学物質）などを塗布した傷あてパッドは、細菌は殺すが同時に傷面の細胞をも傷つけてしまう。
また単なる傷面の保護だけのものには、積極的な傷面の再生修復など望めない。
そのために、傷あてパッドは化学物質の塗布を嫌って、なにも塗布しない単なる傷保護パッドがほとんどを占めるようになった。
本発明は、この課題を解消するためになされたものである。
【課題を解決するための手段】
課題の解決方法として、生体細胞に害のある殺菌剤（化学物質）の塗布の代わりに、天然ハチミツカプセルを内蔵した傷あてパッドとし、使用時の安心感と安全性、そして殺菌状態の確保と傷の修復を促進させた。
この傷あてパッドは、使用前に上下から指で圧迫し、カプセルを破ってハチミツをガーゼに滲みこませ、傷にあてて使用するが、本来ハチミツには、外科的疾患において殺菌作用があり生体細胞に対し再生修復作用をもっており傷等に対して悪影響を及ぼさない。また、柔らかい食品ラップでカプセル化したので、天然ハチミツの薬効を十分発揮でき、患部への刺激を与えず、傷の回復も促進され使用方法も簡素化できる。
これまで、この天然ハチミツは、滋養強壮薬、配合剤の甘味料、丸薬の結合剤などに使われていたが、傷薬としては全く使われていなかった。
この天然ハチミツのカプセル化で、手軽で安心して使えるものとなり、そしてその本来の薬効を十分発揮できるものとなった。
【発明の効果】
効果としては、カプセルの中身を天然ハチミツとしたので、安心安全性を確保できて、またハチミツの大部分をしめる糖分が、細胞内の細菌が生育できない殺菌状態を保ち、またその糖分が細胞修復のために利用されて、傷の再生修復を促進させる効果がある。
【実施例１】従来の傷あてパッドの保護テープ１と、粘着（下面）テープ５の間に、ガーゼ固定テープ２、ガーゼ３、そして天然ハチミツカプセル４を内蔵するものであるが、使用時は図２のように上下からカプセルを指で圧迫し中の天然ハチミツをガーゼに滲みこませ、保護テープ１、をはずし傷にあてて使用する。
【図面の簡単な説明】
【図１】本発明の斜視図である。
【図２】本発明の図１におけるＡＡ′を断面とする断面図である。
【図３】本発明の展開図である。
【符号の説明】
１  保護テープ
２  ガーゼ固定粘着テープ
３  ガーゼ
４  天然ハチミツカプセル
５  粘着（下面）テープ
６  コットン
７  パッド基盤粘着テープ
【図１】
2009125572.tif 000003
【図２】
2009125572.tif 000004
【図３】
2009125572.tif 000005
(57)【要約】      （修正有）【課題】便器内の汚れを防ぐことができ、また、携帯可能な便座シートを提供する。【解決手段】便座シートの中央部を楕円形に左右に細長く切り分ける。便座シートを便座の上に敷くことによって細長い部分が便器ボウル内へ垂れ下がり、用便時のボウル面への汚れを防止する。また、外出時にポケットに入れて携帯し易いよう折り方と帯封をするなどの工夫をした。【選択図】図２
2009125571.tif 000002
【特許請求の範囲】
【請求項１】
腰掛便器便座の上に敷く便座シート中央の楕円形の穴の部分を楕円中央より左右に細長く切り分けたことを特徴とする便座シート。
【請求項２】
腰掛便器便座中央の楕円の穴にそって細長く切ったシートが垂れ下がることで便器内側のヨゴレを防止するものである
【請求項３】
長方形の便座シートの折り方に工夫を加え携帯用の便座シートにしたことを特徴とし使用するときはカンタンに広げて敷くことが出来るものである
【発明の詳細な説明】
【技術分野】
【０００１】本発明は、腰掛便器にかんするもので、便座の上に敷き使用する便座シートのことである、便座中央の楕円形の穴のあけ方や折り方に工夫を加え携帯用としたことで、使いやすく、便利で衛生的にもすぐれた便座シートにしたものである。
【背景技術】
【０００２】従来の腰掛便器の便座シートは、長方形の平らな紙に便座中央の楕円形の穴に合った穴を抜き取り紙片を一方にたれ下げて便座の上に敷き使用されている。それらは、単に長方形の紙中央に楕円形の穴を切り抜き片方を垂れ下げただけのものである。尚便座シートは便所内に設置された専用のボックスに入れて有り取り出して使用するものがあるがシートが空の場合もある。
【発明の開示】
【発明が解決しようとする課題】
【０００３】上述の如く、従来技術に係る腰掛け便器の便座シートは長方形の平らな紙中央に楕円形の穴を切り抜き便座中央の穴に合わせて敷き、抜き取った紙の一片を便器内に垂らして使用されているが、それらは前後左右にズレて敷きにくい、また一片が垂れ下がっているため使用方向がありまちがえやすい。尚便座シートも便所内の所定のボックス内に入れてあるが使用時にシートがなく使えない、このような不都合を解決することを課題とする。
【課題を解決するための手段】
【０００４】この課題を解決するための請求項１請求項２の発明は、腰掛便器の便座の上に敷く長方形のシートに便座中央の楕円形の穴の部分を中央から左右に細長く切り分けたことで便座に敷いたとき中央の楕円形の穴にそって垂れ下りシートのガイドの役目をなし、敷きやすくなり使用方向もなく前後左右のズレもなくなる、尚便器内側に垂れ下ったシートが壁を作り便器内のヨゴレも防ぎ、請求項２も解決したものである。【０００５】長方形の便座シートの折り方に工夫を加えたことで請求項３の携帯用の便座シートにしたことを特徴とする。
【発明の効果】
【０００６】以上説明したように本発明は、腰掛便器の便座中央の楕円形の穴に合わせて敷き腰掛けて使用する便座シートのことで、従来の便座シートは便座中央の穴に合わせて単に切り抜いていた。本発明便座シートは楕円の中央より左右に細長く切り分けたことで使用すると便座中央の楕円の穴にそって細長いシートが垂れ下がりガイドの役目をしズレもなく使用方向もなくなる。尚便器内側に垂れ下ったシートが壁の役目をなして便器内のヨゴレを防ぎ衛星面も向上する。また折り方に工夫を加えて携帯用にしたことで外出した時に、どこの公共便所を使用しても違和感なく衛生的かつ安心して使用できるようにしたものである。
【発明を実施するための最良の形態】
【０００７】以下、本発明の実施の形態を図面に基づき説明する。【０００８】図１、図２は本発明の実施形態に係わり、図１は本発明の便座シートの斜視図である。図２はその実施例の斜視図である。【０００９】図１に示すように、便座シートを便座中央の楕円形の穴の部分を中央から左右に細長く切り分ける。図２に示すごとく便座の上に敷くと中央の楕円内側のふちにそって細長く切ったシートが垂れ下りガイドの役目をして固定する。よって前後左右のズレもなく方向もなくなる。垂れ下がったシートが便器内側で壁を作り便器内のヨゴレを防ぎ衛生面もスグレタものである。【００１０】図４〜図７は、図１の長方形の便座シートを、図８の携帯用にするための折り方の説明である。図１の符号３の指示通り中央部分を左右に細長く切る。図４の符号１〜５の指示にしたがい４つ折りを作り、図６の符号１、２、４の指示にしたがいもう一度４つ折りを作ったことで小さくなり、図８の符号９の帯封をすることでポケットに入る図８の携帯用便座シートにした。使用後は便器内に水洗で流し処理できる、外出したとき公共の便所を使用しても違和感なく安心して使用することができる、また使用するときも折り方に工夫を加えたことでカンタンに広げて便座の上に敷くことができるものである。
【図面の簡単な説明】
【００１１】
【図１】本発明の便座シートの平面斜視図である。
【図２】図１の便座シート実施例の斜視図である。
【図３】折り方の符号図と実施例の斜視図である。
【図４】折り方、切り方を符号にて示した斜視図である。
【図５】４つ折りの斜視図である。
【図６】図５の４つ折りをさらに４つ折りにする折り方を符号で示した斜視図である。
【図７】図６を符号にしたがい４つ折りした斜視図である。
【図８】折り畳み小さくして外側に８の帯封でとじ携帯用にした便座シートである。
【符号の説明】
【００１２】１は  たに折りせん
２は  やま折りせん
３は  切断せん
４は  折りかたの方向を示す矢印
５は  たに折り例
６は  やま折り例
７は  切断例
８は  帯封
【図１】
2009125571.tif 000003
【図２】
2009125571.tif 000004
【図３】
2009125571.tif 000005
【図４】
2009125571.tif 000006
【図５】
2009125571.tif 000007
【図６】
2009125571.tif 000008
【図７】
2009125571.tif 000009
【図８】
2009125571.tif 000010
(57)【要約】      （修正有）【課題】折り紙のＴシャツを利用し１００円均一の携帯ティッシュが一つ入る大きさです丹後ちりめん、友禅ちりめん（日本伝統の物）を素材として使用のこと一枚布を使用のこと【解決手段】洗濯は手洗い脱水機使用はしません自然乾燥のみ【選択図】図１
2009125577.tif 000002
【特許請求の範囲】
【請求項１】
素材  高級ちりめん（丹後ちりめん、友禅ちりめん使用）
未使用の物を使います
【請求項２】
オリジナルのオリジナル  １点物です（柄は一つのみしか取りません）
【発明の詳細な説明】
【製法】
丹後ちりめん友禅ちりめん未使用の物を利用
▲１▼  一枚布で縦３５〜３６ｃｍ  横２２ｃｍ四方ピンキング（ほつれ防止の為）
▲２▼  中表にして縦に半分折りします
2009125577.tif 000003
▲４▼  衿は正せねばなりませんので指を入れてきれいに仕上げます
▲５▼  ネックの部分は上止めとします（完全に止めてしまいますと携帯ティッシュが入りません）
▲６▼  糸は木綿１００％の５０番ミシン糸（カタン糸）使用
ちりめんが白地に近ければ白糸、黒地でしたら黒糸使用
本体に使用
▲７▼  糸は絹１００％（カラー糸）３０番使用
これは一部に使用  ２ヶ所のみ  ごく一部となります
▲８▼  Ｔシャツ型に折りましたら四方は並縫いです
▲９▼  衿（後部）は本体（身ごろ）に祭縫いで仕上げます
▲１０▼［図２］の上部  横一直線は半返し縫いで仕上げます
▲１１▼［図２］の中央  従一直線は半返し縫いで仕上げてあります
番号は▲１１▼が先で▲１０▼が後となります。
【図１】
2009125577.tif 000004
【図２】
2009125577.tif 000005
【手続補正書】
【提出日】平成20年2月14日(2008.2.14)
【手続補正２】
【補正対象書類名】明細書
【補正対象項目名】全文
【補正方法】変更
【補正の内容】
【発明の詳細な説明】
【製法】
【０００１】丹後ちりめん友禅ちりめん未使用の物を利用
【０００２】一枚布で縦３５〜３６ｃｍ  横２２ｃｍ四方ピンキング（ほつれ防止の為）
【０００３】中表にして縦に半分折りします
【０００４】上部１０ｃｍはＴシャツの袖部分になります
【０００５】下部１ｃｍを残し１７ｃｍはＴシャツの身ごろとなり携帯ティッシュの出し入れ部分になります（出し入れする部分のところは祭縫いです）
【０００６】衿は正せねばなりませんので指を入れてきれいに仕上げます
【０００７】ネックの部分は上止めとします（完全に止めてしまいますと携帯ティッシュが入りません）
【０００８】糸は木綿１００％の５０番ミシン糸（カタン糸）使用
ちりめんが白地に近ければ白糸、黒地でしたら黒糸使用  本体に使用
【０００９】糸は絹１００％（カラー糸）３０番使用
これは一部に使用  ２ヶ所のみ  ごく一部となります
【００１０】Ｔシャツ型に折りましたら四方は並縫いです（折り紙のＴシャツです）
【００１１】衿（後部）は本体（身ごろ）に身ごろがずれない為に祭縫いで仕上げます
【００１２】〔図２〕の中央縦一直線は半返し縫いで仕上げます
【００１３】〔図２〕の上部横一直線は半返し縫いで仕上げます
【図面の簡単な説明】
【００１４】
【図１】同ティッシュケースの表面図
【図２】同ティッシュケースの裏面図
【手続補正３】
【補正対象書類名】図面
【補正対象項目名】全図
【補正方法】変更
【補正の内容】
【図１】
2009125577.tif 000006
【図２】
2009125577.tif 000007